(57)【要約】【課題】無線装置と制御装置とを分離して必要な位置に配置する。【解決手段】親局１と子局２−１〜２−ｎとが無線回線を介して情報を送受する通信システムにおける親局であって、前記子局２−１〜２−ｎと信号の送受信を行う無線装置１１と、前記無線装置１１を介して前記子局２−１〜２−ｎに対して情報を送出し、前記子局２−１〜２−ｎから情報を受け取る親局制御装置１０と、前記無線装置１１と前記親局制御装置１０にそれぞれ設けられるネットワークインタフェースと、前記ネットワークインタフェース間を接続するＬＡＮ１３とを具備する。【選択図】  図１
2004328472.tif 000002
【特許請求の範囲】
【請求項１】
親局と子局とが無線回線を介して情報を送受する通信システムにおける親局であって、
前記子局と信号の送受信を行う無線装置と、
前記無線装置を介して前記子局に対して情報を送出し、前記子局から情報を受け取る親局制御装置と、
前記無線装置と前記親局制御装置にそれぞれ設けられるネットワークインタフェースと、
前記ネットワークインタフェース間を接続するネットワークと
を具備することを特徴とする通信システムにおける親局。
【請求項２】
前記ネットワークインタフェースは、
ＣＰＵを中心として構成されたコンピュータシステムであり、
前記無線装置には、このコンピュータシステムに対して接続される無線機が具備されていることを特徴とする請求項１に記載の通信システムにおける親局。
【請求項３】
前記コンピュータシステムと前記無線機が、モデム及びパラレルインタフェースにより接続されることを特徴とする請求項２に記載の通信システムにおける親局。
【請求項４】
前記コンピュータシステムと前記無線機が、ＲＳ−２３２Ｃインタフェースにより接続されることを特徴とする請求項２に記載の通信システムにおける親局。
【請求項５】
前記コンピュータシステムと前記無線機が、音声コーデックによって接続されていることを特徴とする請求項２に記載の通信システムにおける親局。
【請求項６】
親局と子局とが無線回線を介して情報を送受する通信システムにおける子局であって、
前記親局と信号の送受信を行う無線装置と、
前記無線装置を介して前記親局に対して情報を送出し、前記親局から情報を受け取る子局制御装置と、
前記無線装置と前記子局制御装置にそれぞれ設けられるネットワークインタフェースと、
前記ネットワークインタフェース間を接続するネットワークと
を具備することを特徴とする通信システムにおける子局。
【請求項７】
前記ネットワークインタフェースは、
ＣＰＵを中心として構成されたコンピュータシステムであり、
前記無線装置には、このコンピュータシステムに対して接続される無線機が具備されていることを特徴とする請求項６に記載の通信システムにおける子局。
【請求項８】
前記コンピュータシステムと前記無線機が、モデム及びパラレルインタフェースにより接続されることを特徴とする請求項７に記載の通信システムにおける子局。
【請求項９】
前記コンピュータシステムと前記無線機が、ＲＳ−２３２Ｃインタフェースにより接続されることを特徴とする請求項７に記載の通信システムにおける子局。
【請求項１０】
前記コンピュータシステムと前記無線機が、音声コーデックによって接続されていることを特徴とする請求項７に記載の通信システムにおける親局。
【発明の詳細な説明】
【０００１】
【発明の属する技術分野】
この発明は、テレメータシステムや警報監視制御システムなどのような、親局と子局とが無線回線を介して情報を送受する通信システムにおける親局及び子局に関するものである。
【０００２】
【従来の技術】
従来のテレメータシステムや警報監視制御システムなどにおいては、親局と子局とが無線回線を介して情報を送受しており、この例としては、特開平３−４４２３４号公報、特開平７−３２１７６８号公報、特開平１１−３２８５６７号公報に記載されたシステムがある。
【０００３】
上記の従来システムでは、基本的に無線装置などの送受信装置と情報の送受の源となる制御装置とが同一の筐体或いは架に収納されている。このような筐体を子局として用いる場合には、山奥などであっても持ち運んで設置する必要があり煩わしいという問題があった。
【０００４】
【発明が解決しようとする課題】
また、制御装置は基本的に汎用のパーソナルコンピュータ等により代行できることが多いにも拘らず、１つの装置に無線装置と共に組み込んだ特別の装置を作成する必要があった。
【０００５】
また、無線装置と制御装置とを分離して配置する場合にも、これらの装置にのみ使用される４線式平衡線を敷設して対応しており、設備に資材とコストが必要であるという問題点があった。
【０００６】
本発明は上記のような従来の通信システムにおける問題点を解決せんとしてなされたもので、その目的は、無線装置と制御装置とを分離して必要な位置に配置することが可能な通信システムにおける親局と子局とを提供することである。
【０００７】
【課題を解決するための手段】
本発明に係る通信システムにおける親局は、親局と子局とが無線回線を介して情報を送受する通信システムにおける親局であって、前記子局と信号の送受信を行う無線装置と、前記無線装置を介して前記子局に対して情報を送出し、前記子局から情報を受け取る親局制御装置と、前記無線装置と前記親局制御装置にそれぞれ設けられるネットワークインタフェースと、前記ネットワークインタフェース間を接続するネットワークとを具備することを特徴とする。
【０００８】
本発明に係る通信システムにおける親局では、前記ネットワークインタフェースは、ＣＰＵを中心として構成されたコンピュータシステムであり、前記無線装置には、このコンピュータシステムに対して接続される無線機が具備されていることを特徴とする。
【０００９】
本発明に係る通信システムにおける親局では、前記コンピュータシステムと前記無線機が、モデム及びパラレルインタフェースにより接続されることを特徴とする。
【００１０】
本発明に係る通信システムにおける親局では、前記コンピュータシステムと前記無線機が、ＲＳ−２３２Ｃインタフェースにより接続されることを特徴としている。
【００１１】
本発明に係る通信システムにおける親局では、前記コンピュータシステムと前記無線機が、音声コーデックによって接続されていることを特徴とする。
【００１２】
本発明に係る通信システムにおける子局は、親局と子局とが無線回線を介して情報を送受する通信システムにおける子局であって、前記親局と信号の送受信を行う無線装置と、前記無線装置を介して前記親局に対して情報を送出し、前記親局から情報を受け取る子局制御装置と、前記無線装置と前記子局制御装置にそれぞれ設けられるネットワークインタフェースと、前記ネットワークインタフェース間を接続するネットワークとを具備することを特徴とする。
【００１３】
本発明に係る通信システムにおける子局では、前記ネットワークインタフェースは、ＣＰＵを中心として構成されたコンピュータシステムであり、前記無線装置には、このコンピュータシステムに対して接続される無線機が具備されていることを特徴とする。
【００１４】
本発明に係る通信システムにおける子局では、前記コンピュータシステムと前記無線機が、モデム及びパラレルインタフェースにより接続されることを特徴とする。
【００１５】
本発明に係る通信システムにおける子局では、前記コンピュータシステムと前記無線機が、ＲＳ−２３２Ｃインタフェースにより接続されることを特徴としている。
【００１６】
本発明に係る通信システムにおける子局では、前記コンピュータシステムと前記無線機が、音声コーデックによって接続されていることを特徴とする。
【００１７】
【発明の実施の形態】
以下添付図面を参照して、本発明に係る通信システムにおける親局及び子局の実施の形態を説明する。各図において同一の構成要素には、同一の符号を付して重複する説明を省略する。図１に示すテレメータシステムは、親局１と子局２−１〜２−ｎとが無線回線を介して情報を送受する通信システムであり、必要に応じて中継局が設けられる。ここでは、親局１と子局２−ｎとの間には、中継局３が設けられている。
【００１８】
親局１は、親局制御装置１０と無線装置１１とがトランシーバ１２−１、１２−２によりＬＡＮ（ローカルエリアネットワーク）１３に接続されている。子局２−１〜２−ｎは、基本的に同一の構成を有し、代表として示した子局２−１には、子局制御装置２１と無線装置２０とがトランシーバ２２−１、２２−２によりＬＡＮ（ローカルエリアネットワーク）２３に接続されている。
【００１９】
親局制御装置１０の構成は、例えば図２に示されるような構成に係るワークステーション、パーソナルコンピュータ、その他の計算機として構築される。すなわち、図２の計算機は、装置を統括制御するＣＰＵ５１を有し、このＣＰＵ５１に上記ＣＰＵ５１が用いるプログラム及びデータ等の情報が記憶される主記憶装置５２が接続されている。更に、ＣＰＵ５１には、システムバス５３を介してキーボード制御部５４、表示制御部５５、プリンタ制御部５６、ＬＡＮコントローラ５７、マウス制御部５８、磁気ディスク制御部５９が接続されている。キーボード制御部５４には各種情報をキー入力可能なキーボード入力装置６０が接続され、表示制御部５５には情報を表示するためのＣＲＴ表示装置６１が接続され、プリンタ制御部５６には情報を印字出力するためのプリンタ装置６２が接続され、ＬＡＮコントローラ５７にはＬＡＮ１３を介して通信を行うためのＬＡＮドライバ／レシーバ６３が接続され、マウス制御部５８にはポインティングディバイスであるマウス６４が接続され、磁気ディスク制御部５９には補助記憶装置である磁気ディスク装置６５が接続されている。また、必要に応じてフレキシブルディスクドライブ、磁気カード或いはＩＣカードリーダ、ＭＯ（光磁気ディスク）ドライブ等が設けられる。上記ＬＡＮコントローラ５７とＬＡＮドライバ／レシーバ６３とは、この装置をＬＡＮ１３に接続するネットワークインタフェースを構成している。
【００２０】
図３には、子局制御装置２１の構成例が示されている。この子局制御装置２１も、ワークステーション、パーソナルコンピュータ、その他の計算機として構築される。図３の計算機は、装置を統括制御するＣＰＵ７１を有し、このＣＰＵ７１に上記ＣＰＵ７１が用いるプログラム及びデータ等の情報が記憶される主記憶装置７２が接続されている。更に、ＣＰＵ７１には、システムバス７３を介してスピーカドライバ７５、ＬＡＮコントローラ７７、入出力ポート７８が接続されている。
【００２１】
スピーカドライバ７５にはスピーカ８１が接続され、ＬＡＮコントローラ７７にはＬＡＮドライバ／レシーバ８３が接続され、入出力ポート７８にはセンサ８４が接続されている。センサ８４は、例えば河川やダムに設置された雨量計、水位計などである。上記ＬＡＮコントローラ７７とＬＡＮドライバ／レシーバ８３とは、この装置をＬＡＮ２３に接続するネットワークインタフェースを構成している。なお、この例では、警報を発生するためのスピーカ８１とスピーカドライバ７５と、雨量等の情報収集のためのセンサ８４を設けているが、これらの内のいずれか一方のみを設けた構成を採用することができる。
【００２２】
親局１における無線装置１１または子局２−１〜２−ｎにおける無線装置２０は、図４に示されるように構成される。この無線装置は、トランシーバ１２（または２２）を介してＬＡＮ１３（または２３）に接続される。無線装置は、ＣＰＵ３１を中心とするコンピュータによる構成部分が、無線機インタフェース４１を介して無線機４２に接続される構成を有している。
【００２３】
ＣＰＵ３１は、バス３２を介してメモリ３３、通信コントローラ３４、ＬＡＮコントローラ３５、ＰＩＯ（パラレル入出力部）３６に接続されている。メモリ３３には、ＣＰＵ３１が用いるプログラムやデータ等が記憶されている。通信コントローラ３４には、モデム３７が接続され、無線機インタフェース４１を介して変調したデータを送受する。ＬＡＮコントローラ３５は、ＬＡＮドライバ／レシーバ３８を介して情報を送受する。ＰＩＯ３６は、無線機インタフェース４１との間で制御情報をパラレルデータとして送受する。
【００２４】
無線装置１１（２０）における無線機インタフェース４１と無線機を除くＣＰＵ３１を中心としたコンピュータシステムは、この装置をＬＡＮ１３（２３）に接続するネットワークインタフェースを構成している。そして、図示された親局１は枠で囲まれているが、１つの筐体であることを示すものではない。同様に、図示された子局２−１〜２−ｎはそれぞれが枠で囲まれているが、それぞれが１つの筐体であることを示すものではない。親局１における親局制御装置１０と無線装置１１は、ＬＡＮ１３により所望の距離を離して所望の位置に配置される。また、子局２−１〜２−ｎにおける子局制御装置２１と無線装置２０は、ＬＡＮ２３により所望の距離を離して所望の位置に配置される。
【００２５】
親局１は監視センターなどに設けられ、ＬＡＮ１３は通常において敷設されているものと考えられ、多大な新たな設備を要することなく、親局制御装置１０と無線装置１１を適宜配置することができる。また、子局２−１〜２−ｎにあっては、子局制御装置２１を複数設けて、無線装置２０に対してＬＡＮ２３により接続すれば良く、効率的なシステム構成が可能となると共に、無線装置２０を他から離間した位置に配置して電磁波の影響を受けにくいシステムの構築が可能である。
【００２６】
以上のように構成されたシステムの動作を説明する。例えば、子局２−１におけるセンサ８４により得られたデータが入出力ポート７８を介してＣＰＵ７１が取り込み、このデータをＣＰＵ７１はバス７３を介してＬＡＮコントローラ７７へ送る。ＬＡＮコントローラ７７は、上記のデータをＬＡＮドライバ／レシーバ８３へ送り、トランシーバ２２−１からＬＡＮ２３及びトランシーバ２２−２を介して無線装置２０へ送る。
【００２７】
無線装置２０は、図４に示すようであるので、上記データはＣＰＵ３１によりＬＡＮドライバ／レシーバ３８、ＬＡＮコントローラ３５、バス３２を介して受け取られる。ＣＰＵ３１は、このデータを通信コントローラ３４とモデム３７により無線機インタフェース４１へ送り、またＣＰＵ３１はＰＩＯ３６を介して無線機制御情報を無線機インタフェース４１へ送り、無線機４２から親局１へ送信させる。
【００２８】
親局１では、無線装置１１が図４に示す構成であり、無線機４２が上記データが送られた信号を受けて無線機インタフェース４１から、データについてはモデム３７を介して、無線機制御情報についてはＰＩＯ３６を介して、送信を行う。ＣＰＵ３１が通信コントローラ３４から上記子局１−１より送られたデータを受けて、バス３２、ＬＡＮコントローラ３５、ＬＡＮドライバ／レシーバ３８からトランシーバ１２−２を介してＬＡＮ１３を通過させてトランシーバ１２−１から親局制御装置１０へ送る。
【００２９】
親局制御装置１０では、ＣＰＵ５１がＬＡＮドライバ／レシーバ６３からＬＡＮコントローラ５７を介して上記データを取り込み、予め定められた処理を行って磁気ディスク装置６５へ記憶するなどを行う。
【００３０】
上記に対して、親局１から子局１−１へスピーカ８１により出力させる警報情報を送る場合を説明する。ＣＰＵ５１がＬＡＮコントローラ５７とＬＡＮドライバ／レシーバ６３を介して警報情報を送出すると、トランシーバ１２−１、ＬＡＮ１３、トランシーバ１２−２の経路で無線装置１１へ送出させる。
【００３１】
無線装置１１は、図４に示す構成であり、上記警報情報はＣＰＵ３１によりＬＡＮドライバ／レシーバ３８、ＬＡＮコントローラ３５、バス３２を介して受け取られる。ＣＰＵ３１は、この警報情報を通信コントローラ３４とモデム３７により無線機インタフェース４１へ送り、またＣＰＵ３１はＰＩＯ３６を介して無線機制御情報を無線機インタフェース４１へ送り、無線機４２から子局２−１へ送信させる。
【００３２】
子局２−１では、無線装置２０が図４に示す構成であり、無線機４２が上記警報情報に係る信号を受けて無線機インタフェース４１から、警報情報についてはモデム３７を介して、無線機制御情報についてはＰＩＯ３６を介して、送信を行う。ＣＰＵ３１が通信コントローラ３４から上記子局１−１より送られたデータを受けて、バス３２、ＬＡＮコントローラ３５、ＬＡＮドライバ／レシーバ３８からトランシーバ２２−２を介してＬＡＮ２３を通過させてトランシーバ２２−１から子局制御装置２１へ送る。
【００３３】
子局制御装置２１では、ＣＰＵ７１がＬＡＮドライバ／レシーバ８３からＬＡＮコントローラ７７を介して上記警報情報を取り込み、スピーカ８１により出力させる警報情報である旨を検出して、スピーカドライバ７５へ送出を行う。スピーカドライバ７５は、警報情報を音声信号化してスピーカ８１へ送り音声出力を行う。これにより、警報音等を親局１から送ることができる。
【００３４】
図５には、無線装置１１（または２０）の第２の実施の形態を示す。この実施の形態では、ＬＡＮ１３（２３）に対して、ＣＰＵ９１を中心として構成されるコンピュータ９０を介し、ＲＳ−２３２Ｃドライバ／レシーバ９７、ＲＳ−２３２Ｃ回線９９、ＲＳ−２３２Ｃドライバ／レシーバ９８を用いてＣＰＵ３１により構成されるコンピュータ側と通信を行うようにしたものである。
【００３５】
ＣＰＵ９１は、バス９２を介してメモリ９３、通信コントローラ９４、ＬＡＮコントローラ９５に接続されている。メモリ９３には、ＣＰＵ９１が用いるプログラムやデータ等が記憶されている。通信コントローラ９４には、ＲＳ−２３２Ｃドライバ／レシーバ９７が接続されている。
【００３６】
この構成によれば、ＬＡＮ１３（２３）による無線装置と制御装置とを離間させる以外に、ＲＳ−２３２Ｃ回線９９により無線装置内部において、無線機４２をＬＡＮ１３（２３）から離間することができる。また、この構成によっても、親局１と子局２−１〜２−ｎとの間において、図４に示した無線装置１１（２０）を用いた場合と同様に情報の送受がなされる。
【００３７】
図６には、無線装置１１（または２０）の第３の実施の形態を示す。この実施の形態では、図４における無線装置の構成においてバス３２に音声コーデック３９が接続されている。これにより、親局１の親局制御装置１０において、子局２−１〜２−ｎへ送る音声メッセージなどの音声情報を入力（或いは作成）して図６に示されている無線装置へ送ることにより、子局２−１〜２−ｎへ送る場合に音声コーデック３９により音声情報がコード化され、無線機インタフェース４１、無線機４２を介して無線送信される。
【００３８】
子局２−１〜２−ｎの無線装置にも上記音声コーデック３９が設けられているので、無線機４２、無線機インタフェース４１により受け取られたコード化された音声情報は、音声コーデック３９によりデコードされて、先に述べた経路によりスピーカドライバ７５へ送られてスピーカ８１がドライブされて音声メッセージが出力されることになる。このように、係る構成により音声を無線回線を介して送受することが可能となる。
【００３９】
【発明の効果】
以上説明したように本発明によれば、親局において無線装置と親局制御装置とがネットワークにより接続されるので、無線装置と親局制御装置とを離間させて配置することができ、これらの設置場所や複数の親または子局制御装置での無線装置共有といった構成の自由度を確保することができる。また、親局制御装置としてパーソナルコンピュータ等を採用しシステムを構築でき便利である。
【００４０】
以上説明したように本発明によれば、子局において無線装置と子局制御装置とがネットワークにより接続されるので、無線装置と子局制御装置とを離間させて配置することができ、これらの設置場所や複数の親または子局制御装置での無線装置共有といった構成の自由度を確保することができる。また、子局制御装置としてコンピュータ等を採用したシステムを構築でき、便利である。
【図面の簡単な説明】
【図１】本発明に係る親局と子局とを用いて構成したテレメータシステムの構成図。
【図２】本発明に係る親局の具体的構成例を示すブロック図。
【図３】本発明に係る子局の具体的構成例を示すブロック図。
【図４】本発明に係る親局と子局に用いられる無線装置の第１の実施の形態を示すブロック図。
【図５】本発明に係る親局と子局に用いられる無線装置の第２の実施の形態を示すブロック図。
【図６】本発明に係る親局と子局に用いられる無線装置の第３の実施の形態を示すブロック図。
【符号の説明】
１  親局
２−１〜２−ｎ  子局
１０  親局制御装置
１１、２０  無線装置
１３、２３  ＬＡＮ
２１  子局制御装置
【図１】
2004328472.tif 000003
【図２】
2004328472.tif 000004
【図３】
2004328472.tif 000005
【図４】
2004328472.tif 000006
【図５】
2004328472.tif 000007
【図６】
2004328472.tif 000008